(57)【特許請求の範囲】
【請求項１】
容器本体１の口頸部２に装着したキャップ３の下縁にフック４を付設し、該フックに説明書５を上端部にて係合させて垂下させたことを特徴とする商品収納容器において、
上記説明書５を折り畳みシートとして、シート中間部の主片７の両側辺と下辺に該主片へと折り重ねる折り畳み左片８、折り畳み右片９、折り畳み下片10をそれぞれ設け、更にその主片７の上辺に上方へと伸出する突出上片11を設けて、この突出上片を上記フック４に係合させたことを特徴とする、商品収納容器
【請求項２】
上記キャップ３を開閉蓋６付きのものとし、上記説明書５を一部で容器本体１の外面へ貼着させた請求項１記載の商品収納容器。
【請求項３】
上記突出上片11の上端にスリット12を設けて、該スリットを上記フック４へと係合させ、更に、その突出上片11の下部に切込み13を、かつ、該切込みに対応させて上記折り畳み下片10の先端に差し込み舌片14を突設した請求項１又は請求項２記載の商品収納容器。
【発明の詳細な説明】
【０００１】
【発明の属する技術分野】
本発明は、商品を収納させた容器に関する。
【０００２】
【従来の技術】
商品を収納させた容器に消費者に対してその収納商品を説明する記述が必要で、通常、その記述は、その容器の胴部外面へ表示するほか、該容器を外箱内へ入れるとともに、該外箱内に説明書を収納させている。
【０００３】
【発明が解決しようとする課題】
上記のように、外箱を用いて説明書を収納されることは、商品包装簡易化に適しないから好ましくないが、容器が小形化するにつれて商品説明用のスペースとして用いられている胴部表面積も少なくなり、よって、上記外箱を用いることとなる。
本発明は、容器本体胴部の外面へ任意な又は必要な大きさの説明書を装備させ得るようにして、説明文表示用スペースを十分に確保できるよう設けたものである。
【０００４】
【課題を解決するための手段】
かかる目的達成のため、請求項１の発明は容器本体１の口頸部２に装着したキャップ３の下縁にフック４を付設し、該フックに説明書５を上端部にて係合させて垂下させたことを特徴とする商品収納容器において、
上記説明書５を折り畳みシートとして、シート中間部の主片７の両側辺と下辺に該主片へと折り重ねる折り畳み左片８、折り畳み右片９、折り畳み下片10をそれぞれ設け、更にその主片７の上辺に上方へと伸出する突出上片11を設けて、この突出上片を上記フック４に係合させたことを特徴とする。
【０００５】
請求項２の発明は、上述の請求項１の商品収納容器にあって、上記キャップ３を開閉蓋６付きのものとし、上記説明書５を一部で容器本体１の外面へ貼着させて成る。
【０００６】
請求項３の発明は、上述の請求項１又は請求項２の商品収納容器にあって、上記突出上片11の上端にスリット12を設けて、該スリットを上記フック４へと係合させ、更に、その突出上片11の下部に切込み13を、かつ、該切込みに対応させて上記折り畳み下片10の先端に差し込み舌片14を突設している。
【０００７】
【発明の実施の形態】
図面は、本発明の実施の形態を示している。
図において、１は、合成樹脂製びんの容器本体、２は、該容器本体の口頸部、３は、該口頸部に嵌着係合させた合成樹脂製のキャップ、４は、該キャップの下縁から一体に垂設したフック、５は、該フックに係合させて垂下させた説明書である。
【０００８】
キャップ３は、開閉蓋６付きの注出キャップ15であり、後部で薄肉ヒンジ16を介して一体に連設している。また、フック４は、上記注出キャップ15の周壁17の下縁から側面形状逆Ｌ字状に突出垂下させ、先端に亀頭状係止部18を形成している（図３）。
【０００９】
説明書５は、折り畳みシートから成り、シート中間部に縦長長方形の主片７を有し、該主片の両側辺と下辺に該主片へと折り重ねるいずれも縦長長方形の折り畳み左片８、折り畳み右片９、折り畳み下片10をそれぞれ設け、また、その主片７の上辺に上方へと大小の円弧にて二段に伸出する突出上片11を設け、該突出上片11の上段部に上端が円孔19の縦方向のスリット12を設けて、該スリットを上記フック４へと係合させ、更に、その突出上片11の下段部に下方へ凸の円弧状の切込み13を、かつ、該切込みに対応させて上記折り畳み下片10の先端に円弧状の差し込み舌片14を突設している。
【００１０】
この場合のスリット12とフック13との係合は、図４−Ａに示すように、スリット12を水平方向に寝かせて、このスリット12にフック13を垂直方向に挿入させ、亀頭状係止部18がスリット12を通過したところで、このスリット12も垂直方向に回動させて引き下げることにより、図４−Ｂに示すように、スリットの円孔19とフック13の亀頭状係止部18とを相互に係合させる。
【００１１】
また、説明書５の折り畳みは、主片７に対して、まず、折り畳み左片８と折り畳み右片９を折り重ね、次いで、その外側に折り畳み下片10を折り重ねて、折り畳み左片８と折り畳み右片９を抱き込ませ、かつ、差し込み舌片14を切込み13へと挿入係合させる。もって、その折り畳み状態を保持させることができる。
したがって、説明書５を開くときは、逆の手順で、折り畳み下片10、折り畳み右片９及び折り畳み左片８を開けばよい。
【００１２】
上記説明書５は、主片７において容器本体１の胴部20へ貼着させてもよい。
なお、図２に示す説明書５は、図示の便宜上分厚く表現しているが、実際には極薄くぴったり重なるものである。
【００１３】
【発明の効果】
請求項１の発明によれば、容器本体１の口頸部２に装着したキャップ３の下縁にフック４を付設し、該フックに説明書５を上端部にて係合させて垂下させているから、容器本体胴部の外面へ任意な又は必要な大きさの説明書５を支障なく簡単に装備させることができ、該説明書５には説明文表示用スペースを十分に確保できる。
したがって、従来にように、外箱を用いて説明書を収納する必要はなく、商品包装簡易化を可能にでき、容器が小形化しても商品説明用に必要なスペースを支障なく確保できる。
【００１４】
また、請求項２の発明によれば、説明書５を一部で容器本体１の外面へ貼着させているので、説明書５を容器本体１に安定に付設させることができ、しかも、キャップ３を開閉蓋６付きのものとしているから、説明書５を容器本体１へ貼着させても内容物を支障なく注出できる。
【００１５】
更に、請求項１の発明によれば、説明書５を折り畳みシートとして、シート中間部の主片７の両側辺と下辺に該主片へと折り重ねる折り畳み左片８、折り畳み右片９、折り畳み下片10をそれぞれ設け、その主片７の上辺に上方へと伸出する突出上片11を設け、その突出上片11の下部に切込み13を、かつ、該切込みに対応させて上記折り畳み下片10の先端に差し込み舌片14を突設しているので、折り重ねた折り畳み左片８と折り畳み右片９とを折り畳み下片10で抱き込み、該折り畳み下片の差し込み舌片14を切込み13へと差し込むことにより、簡単かつ容易に折り畳みできるとともに、その折り畳み状態を維持確保できる。
更に請求項３の発明によれば、その突出上片11の上端に設けたスリット12を前記フック４へと係合させているから、極めて簡単かつ容易に係合させることができ、適確に吊り下げることができる。
【図面の簡単な説明】
【図１】  本発明の実施の形態を示す説明書展開状態の斜視図である。
【図２】  同説明書折り畳み状態の縦断側面図である。
【図３】  同要部の拡大斜視図である。
【図４】  同係合手順説明図である。
【符号の説明】
１…容器本体                    ２…口頸部
３…キャップ                    ４…フック
５…説明書                      ６…開閉蓋
７…主片                        ８…折り畳み左片
９…折り畳み右片                10…折り畳み下片
11…突出上片                    12…スリット
13…切込み                      14…差し込み舌片
15…注出キャップ                16…薄肉ヒンジ
17…周壁                        18…亀頭状係止部
19…円孔                        20…胴部
【図１】
0003853987.tif 000002
【図２】
0003853987.tif 000003
【図３】
0003853987.tif 000004
【図４】
0003853987.tif 000005